(57)【要約】      （修正有）【課題】開口が設けられた渦巻き型螺旋状本体へ頭髪を入れてから、把持部を利用して頭髪へ差し込み、本体内へ頭髪を固定して髪型を作る整髪器を提供する。【解決手段】整髪器１０は、把持部１及び本体２を備える。把持部１上には、第１の端部１１及び第２の端部１２が設けられる。第１の端部１１は、延伸して本体２と一体化される。本体２には、Ｕ字体２１が設けられる。Ｕ字体２１の一方の側部には内フック部２２が曲設され、その中に内周空間２５が形成される。Ｕ字体２１の他方の側部には、外弧形体２３が曲設される。外弧形体２３と内フック部２２との間には、内周空間２５と連通する間隙２４が形成されている。把持部１は、ユーザが握る際に手が滑ることを防ぐために螺旋状に形成されている。頭髪を丸めて立てた後、把持部１により整髪器１０を頭髪に挿入して固定し、かんざしとして用いる。【選択図】図１
0003178472.tif 000002
【実用新案登録請求の範囲】
【請求項１】
把持部及び本体を備えた整髪器であって、
前記把持部上には、第１の端部及び第２の端部が設けられ、前記第１の端部は、延伸して前記本体と一体化し、
前記本体には、Ｕ字体が設けられ、前記Ｕ字体の一方の側部には内フック部が曲設され、その中に内周空間が形成されることを特徴とする整髪器。
【請求項２】
前記Ｕ字体の他方の側部には、外弧形体が曲設され、
前記外弧形体と前記内フック部との間には、前記内周空間と連通する間隙が形成されていることを特徴とする請求項１に記載の整髪器。
【請求項３】
前記把持部は、ユーザが握る際に手が滑ることを防ぐために螺旋状に形成されていることを特徴とする請求項２に記載の整髪器。
【請求項４】
頭髪を丸めて立てた後、前記把持部を利用して挿入して固定し、かんざしとして用いることを特徴とする請求項３に記載の整髪器。
【考案の詳細な説明】
【技術分野】
【０００１】
本考案は、整髪器に関し、特に、開口が設けられた渦巻き型螺旋状本体へヘアを入れてから、把持部を利用して頭髪へ差し込み、本体内へヘアを固定して髪型を作る整髪器に関する。
【背景技術】
【０００２】
一般に女性は、ヘアを整えたり髪形を作ったりするために、ヘアピン、カチューシャ、整髪器などを使用する。整髪器は、髪型を作るために用いる道具である。ユーザは、この整髪器を使用して様々な髪型を作り、従来の整髪器は見た目が様々な形状を有するが、ヘアを束ねる機能を得るために、図８のような構造が一般的である。このような従来の整髪器は、それぞれ軟性材料からなるリング部５及び挿入ピン６から構成され、リング部５に開口が設けられていない。そのため、収納空間５１にヘアを合わせて差し込まなければならないため、利便性が好ましくない上、ヘアを束ねるという１つの機能しか備えていなかった。そのため、容易に操作でき、様々な髪型を作ることができるように改良された整髪器が求められている。
【先行技術文献】
【特許文献】
【０００３】
【特許文献１】なし
【考案の概要】
【考案が解決しようとする課題】
【０００４】
本考案の主な目的は、開口が設けられた渦巻き型螺旋状本体へヘアを入れてから、把持部を利用して頭髪へ差し込み、本体内へヘアを差し込んで固定し、髪型を作る整髪器を提供することにある。
【課題を解決するための手段】
【０００５】
上記課題を解決するために、本考案の第１の形態によれば、把持部及び本体を備えた整髪器であって、前記把持部上には、第１の端部及び第２の端部が設けられ、前記第１の端部は、延伸して前記本体と一体化し、前記本体には、Ｕ字体が設けられ、前記Ｕ字体の一方の側部には内フック部が曲設され、その中に内周空間が形成されることを特徴とする整髪器が提供される。
【０００６】
また、前記Ｕ字体の他方の側部には、外弧形体が曲設され、前記外弧形体と前記内フック部との間には、前記内周空間と連通する間隙が形成されていることが好ましい。
【０００７】
また、前記把持部は、ユーザが握る際に手が滑ることを防ぐために螺旋状に形成されていることが好ましい。
【０００８】
また、頭髪を丸めて立てた後、前記把持部を利用して挿入して固定し、かんざしとして用いることが好ましい。
【考案の効果】
【０００９】
本考案の整髪器は、開口が設けられた渦巻き型螺旋状本体へヘアを入れてから、把持部を利用して頭髪へ差し込むことにより、本体内へヘアを固定して髪型を作ることができるという効果を奏する。
【図面の簡単な説明】
【００１０】
【図１】本考案の一実施形態に係る整髪器を示す斜視図である。
【図２】本考案の一実施形態に係る整髪器を示す平面図である。
【図３】本考案の一実施形態に係る整髪器を使用するときの状態を示す模式図である。
【図４】本考案の一実施形態に係る整髪器を使用するときの状態を示す模式図である。
【図５】本考案の一実施形態に係る整髪器を使用するときの状態を示す模式図である。
【図６】本考案の一実施形態に係る整髪器を使用するときの状態を示す模式図である。
【図７】本考案の他の実施形態に係る整髪器を使用するときの状態を示す模式図である。
【図８】従来の整髪器を示す斜視図である。
【考案を実施するための形態】
【００１１】
以下、本考案の実施形態について図に基づいて説明する。なお、これによって本考案が限定されるものではない。
【００１２】
図１及び図２を参照する。図１及び図２に示すように、本考案の一実施形態に係る整髪器１０は、把持部１及び本体２を含む。把持部１は、ユーザが握った際に手が滑ることを防ぐために螺旋状に形成されている。把持部１上には、第１の端部１１及び第２の端部１２が設けられている。第１の端部１１は、延伸して本体２と一体化している。本体２には、Ｕ字体２１が設けられている。Ｕ字体２１の一方の側部には内フック部２２が曲設され、内フック部２２とＵ字体２１とにより内周空間２５が画成されている。Ｕ字体２１の他方の側部には、外弧形体２３が曲設されている。外弧形体２３と内フック部２２との間には、前述の内周空間２５と連通する間隙２４が形成されている。
【００１３】
図３〜図６を参照する。図３〜図６に示すように、ユーザのヘア３を本体２の間隙２４から入れ、間隙２４と連通した内周空間２５内へ入れた後、ヘア３が入った整髪器１０を反対方向から把持部１を利用して頭髪４へ入れてから下方へ引き抜くことにより、整髪器１０を整髪ツールとして用い、ヘア３を固定して髪型を作る。
【００１４】
図７を参照する。図７に示すように、整髪器１０をかんざしとして用いる場合、頭髪４を丸めて立てた後、把持部１を利用して整髪器１０を頭髪へ差し込んで固定する。
【００１５】
上述したことから分かるように、本考案は本体２に設けられた間隙２４からヘア３を入れ、間隙２４と連通した内周空間２５内へ入れた後、把持部１を利用して頭髪４へ入れ、本体２内でヘア３を固定して髪型を作る。また、この整髪器１０は、頭髪４を丸めて立てた後、把持部１を利用して整髪器１０を頭髪４へ挿入して固定するかんざしとして用いてもよい。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１：把持部
２：本体
３：ヘア
４：頭髪
５：リング部
６：挿入ピン
１０：整髪器
１１：第１の端部
１２：第２の端部
２１：Ｕ字体
２２：内フック部
２３：外弧形体
２４：間隙
２５：内周空間
５１：収納空間
【図１】
0003178472.tif 000003
【図２】
0003178472.tif 000004
【図３】
0003178472.tif 000005
【図４】
0003178472.tif 000006
【図５】
0003178472.tif 000007
【図６】
0003178472.tif 000008
【図７】
0003178472.tif 000009
【図８】
0003178472.tif 000010
【手続補正書】
【提出日】平成24年7月17日(2012.7.17)
【手続補正１】
【補正対象書類名】実用新案登録請求の範囲
【補正対象項目名】全文
【補正方法】変更
【補正の内容】
【実用新案登録請求の範囲】
【請求項１】
把持部及び本体を備えた整髪器であって、
前記把持部上には、第１の端部及び第２の端部が設けられ、前記第１の端部は、延伸して前記本体と一体化し、
前記本体には、Ｕ字体が設けられ、前記Ｕ字体の一方の側部には内フック部が曲設され、その中に内周空間が形成されることを特徴とする整髪器。
【請求項２】
前記Ｕ字体の他方の側部には、外弧形体が曲設され、
前記外弧形体と前記内フック部との間には、前記内周空間と連通する間隙が形成されていることを特徴とする請求項１に記載の整髪器。
【請求項３】
前記把持部は、ユーザが握る際に手が滑ることを防ぐために螺旋状に形成されていることを特徴とする請求項２に記載の整髪器。
【手続補正２】
【補正対象書類名】明細書
【補正対象項目名】０００８
【補正方法】変更
【補正の内容】
【０００８】
また、頭髪を丸めて立てた後、前記把持部を利用して整髪器を頭髪に挿入して固定し、かんざしとして用いることが好ましい。